(57)【要約】【課題】  時分割で書き込み信号が供給される表示装置において、画面上に生じる色むらの補正を行う。【解決手段】  一の画素を構成する複数の色絵素のそれぞれに共通の信号線を介して時分割で供給される書き込み信号に従って動作する表示装置に適応される色むら補正装置である。かかる色むら補正装置は、前記一の画素を構成する第１の色絵素に対する第１の書き込み信号と前記画素を構成する前記第１の色絵素以外の第２の色絵素に対する第２の書き込み信号とに基づいて補正量を特定し、前記第２の書き込み信号を前記補正量に従って補正する。【選択図】  図２
2017129781.tif 000002
【特許請求の範囲】
【請求項１】
一の画素を構成する複数の色絵素のそれぞれに共通の信号線を介して時分割で供給される書き込み信号に従って動作する表示装置に適応される色むら補正装置であって、
前記一の画素を構成する第１の色絵素に対する第１の書き込み信号と、前記画素を構成する前記第１の色絵素以外の第２の色絵素に対して前記第１の書き込み信号の直後に共通の信号線を介して供給される第２の書き込み信号とに基づいて補正量を特定し、前記第２の書き込み信号を前記補正量に従って補正する、
色むら補正装置。
【請求項２】
一の画素を構成する複数の色絵素のそれぞれに共通の信号線を介して時分割で供給される書き込み信号に従って動作する表示装置に適応される色むら補正装置であって、
補正対象の画素を構成する一の色絵素に対して供給される補正対象の書き込み信号と前記補正対象の書き込み信号の直前に他の色絵素に対して供給された直前の書き込み信号とに基づいて補正量を決定し、出力する補正量決定部と、
前記補正対象の書き込み信号に対して前記決定された補正量を重畳することによって該補正対象の書き込み信号を補正し、該補正された書き込み信号を出力する補正部と、を含む、
色むら補正装置。
【請求項３】
前記補正量決定部は、前記補正対象の書き込み信号の信号レベルと前記直前の書き込み信号の信号レベルとの関係に従って補正量を定義したＬＵＴを記憶するＬＵＴ記憶部を含む、請求項２記載の色むら補正装置。
【請求項４】
前記ＬＵＴは、前記表示装置の画面における複数の領域のそれぞれに対応して設けられるＬＵＴブロックを含む、請求項３記載の色むら補正装置。
【請求項５】
前記補正対象の画素に対する書き込み信号に基づいて、前記画素の位置を示す位置情報を生成する位置情報生成部をさらに含み、
前記補正量決定部は、
前記位置情報に基づいて、前記画素が一の領域に属すると判断される場合に、前記一の領域に対応するＬＵＴブロックを選択し、該選択したＬＵＴブロックに従って、前記補正量を特定する、
請求項４記載の色むら補正装置。
【請求項６】
前記補正量決定部は、
前記位置情報に基づいて、前記画素がいずれの領域にも属さないと判断される場合に、前記画素に隣接する少なくとも１つの領域に対応するＬＵＴブロックを選択し、該選択したＬＵＴブロックに従って、少なくとも１つの擬似補正量を特定し、該特定した擬似補正量に対して所定の補間処理を行って前記補正量を決定し、出力する、
請求項５記載の色むら補正装置。
【請求項７】
前記補正対象の画素に対して１走査ライン前の画素を構成する一の色絵素に対する書き込み信号を前記直前の書き込み信号として記憶するためのラインバッファをさらに含む、請求項２記載の色むら補正装置。
【請求項８】
一の画素を構成する複数の色絵素のそれぞれに共通の信号線を介して時分割で供給される書き込み信号に従って動作する表示装置に適応される色むら補正装置であって、
補正対象の画素を構成する一の色絵素に対して供給される補正対象の第１の書き込み信号と、前記補正対象の書き込み信号とは異なる前記画素を構成する他の色絵素に対して前記第１の書き込み信号の後に共通の信号線を介して供給される第２の書き込み信号とに基づいて補正量を決定し、出力する補正量決定部と、
前記補正対象の第１の書き込み信号に対して前記決定された補正量を重畳することによって該補正対象の書き込み信号を補正し、該補正された書き込み信号を出力する補正部と、を含む、
色むら補正装置。
【請求項９】
一の画素を構成する複数の色絵素のそれぞれに対して、共通の信号線を介して、時分割で供給される書き込み信号に従って動作する表示装置に適応される色むら補正方法であって、
前記一の画素を構成する第１の色絵素に対する第１の書き込み信号と前記画素を構成する前記第１の色絵素以外の第２の色絵素に対する第２の書き込み信号とを取り込むことと、
前記取り込んだ第１の書き込み信号と第２の書き込み信号とに基づいて補正量を特定することと、
前記特定した補正量に従って、前記第２の書き込み信号を補正することと、
を含む、色むら補正方法。
【請求項１０】
一の画素を構成する複数の色絵素が共通の信号線に接続された表示装置に、前記共通の信号線を介して時分割で書き込み信号を供給するように構成された制御回路であって、
前記制御回路は、
前記一の画素を構成する第１の色絵素に対する第１の書き込み信号と前記画素を構成する前記第１の色絵素以外の第２の色絵素に対する第２の書き込み信号とに基づいて補正量を特定し、前記第２の書き込み信号を前記補正量に従って補正する色むら補正装置を含む、
制御回路。
【発明の詳細な説明】
【技術分野】
【０００１】
本発明は、色むら補正装置及び色むら補正方法に関し、特に、時分割信号供給方式の表示装置（液晶パネル）に対する色むら補正装置及び色むら補正方法に関する。
【背景技術】
【０００２】
従来から、１つの画素を構成する例えば赤色絵素Ｒ、緑色絵素Ｇ、青色絵素Ｂに対し、単一のソースドライバから時分割で書き込み信号を供給する表示装置（以下「時分割方式の表示装置」という。）が知られている。このような時分割方式の表示装置では、各色絵素に対し個別のソースドライバを設けて書き込み信号を供給する表示装置と比べて、ソースドライバの数を１／３に削減できる。そのため、時分割方式の表示装置は、外部からの接続端子を削減できることや、低コスト化を実現できるなどのメリットを有する。
【０００３】
上述のような時分割方式の表示装置では、一般に、画面中央部に比べ、画面両端部への、ソースドライバから信号を供給する配線（以後、ソースライン）が長くなるため、該画面両端部へのソースラインのインピーダンスが無視できない。また、時分割方式の表示装置では、各色絵素に対し供給する書き込み信号の供給時間が、各色絵素に対し個別のソースドライバを設ける表示装置に比べ１／３となることから、一の色絵素に供給する書き込み信号が、他の色絵素に供給した書き込み信号の影響を受けて、所望の電位にならない現象が生じる。したがって、時分割方式の表示装置では、特に、画面中央部と画面両端部とで、本来は同一の色であるにも拘わらず、色がずれてしまうといった現象が生じる。
【０００４】
ここで、下記特許文献１は、色絵素に供給される書き込み信号が、他の色絵素に供給される書き込み信号の供給によって影響されることを防止する表示装置を開示する。
【０００５】
また、下記特許文献２は、画面上の画素位置と、書き込み信号の３次元ＬＵＴ（ルックアップテーブル）を有して、それより補正値を抽出して書き込み信号を補正することで、色むらや輝度むらを解消する表示装置を開示する。
【０００６】
また、下記特許文献３は、色絵素ＲＧＢの３次元ＬＵＴを有して、画面のエリアに最適な補正値を抽出して書き込み信号を補正することで、色むらを補正する表示装置を開示する。
【先行技術文献】
【特許文献】
【０００７】
【特許文献１】特開２００５−２３４０５７号公報
【特許文献２】ＷＯ２０１２／１５７０９３号
【特許文献３】特開２０１３−２３２８８２号公報
【発明の概要】
【発明が解決しようとする課題】
【０００８】
上述した特許文献１に開示される表示装置では、画面上の画素位置によりソースラインの長さが異なること、すなわち、画素位置によりソースラインのインピーダンスが相違することが考慮されていない。そのため、かかる表示装置では、画面位置により正しい色を表示できない問題を解消することができない。
【０００９】
また、上述した特許文献２に開示される表示装置では、他の色絵素に供給した書き込み信号の影響が考慮されないため、時分割方式の表示装置で生じる色むらを解消することができない。
【００１０】
また、上述した特許文献３に開示される表示装置では、画面の特定のエリアごとに３次元ＬＵＴを保持する必要が生じる。そのため、斯かる表示装置では、当該３次元ＬＵＴを保持するために大きなメモリが必要となってしまう。
【００１１】
そこで、本発明は、時分割方式の表示装置において、画面位置により生じる色むらを補正できる色むら補正装置及び色むら補正方法を提供することを目的とする。
【課題を解決するための手段】
【００１２】
上記課題を解決するための本発明は、以下に示す発明特定事項乃至は技術的特徴を含んで構成される。
【００１３】
すなわち、ある観点に従う発明は、一の画素を構成する複数の色絵素のそれぞれに対して、共通の信号線を介して、書き込み信号を時分割で供給する表示装置に適応される色むら補正装置である。かかる色むら補正装置は、前記一の画素を構成する第１の色絵素に対する第１の書き込み信号と、前記画素を構成する前記第１の色絵素以外の第２の色絵素に対して前記第１の書き込み信号の直後に共通の信号線を介して供給される第２の書き込み信号とに基づいて補正量を特定し、前記第２の書き込み信号を前記補正量に従って補正する。
【００１４】
また、ある観点に従う発明は、一の画素を構成する複数の色絵素のそれぞれに対して、共通の信号線を介して、書き込み信号を時分割で供給する表示装置に適応される色むら補正装置であって、補正対象の画素を構成する一の色絵素に対して供給される補正対象の書き込み信号と前記補正対象の書き込み信号の直前に他の色絵素に対して供給された直前の書き込み信号とに基づいて補正量を決定し、出力する補正量決定部と、前記補正対象の書き込み信号に対して前記決定された補正量を重畳することによって該補正対象の書き込み信号を補正し、該補正された書き込み信号を出力する補正部とを含む色むら補正装置である。
【００１５】
前記補正量決定部は、前記補正対象の書き込み信号の信号レベルと前記直前の書き込み信号の信号レベルとの関係に従って補正量を定義したＬＵＴを記憶するＬＵＴ記憶部を含み得る。
【００１６】
前記ＬＵＴは、前記表示装置の画面における複数の領域のそれぞれに対応して設けられるＬＵＴブロックを含み得る。
【００１７】
前記色むら補正装置は、前記補正対象の画素に対する書き込み信号に基づいて、前記画素の位置を示す位置情報を生成する位置情報生成部をさらに含み得る。そして、前記補正量決定部は、前記位置情報に基づいて、前記画素が一の領域に属すると判断される場合に、前記一の領域に対応するＬＵＴブロックを選択し、該選択したＬＵＴブロックに従って、前記補正量を特定し得る。
【００１８】
また、前記補正量決定部は、前記位置情報に基づいて、前記画素がいずれの領域にも属さないと判断される場合に、前記画素に隣接する少なくとも１つの領域に対応するＬＵＴブロックを選択し、該選択したＬＵＴブロックに従って、少なくとも１つの擬似補正量を特定し、該特定した擬似補正量に対して所定の補間処理を行って前記補正量を決定し、出力し得る。
【００１９】
また、前記色むら補正装置は、前記補正対象の画素に対して１走査ライン前の画素を構成する一の色絵素に対する書き込み信号を前記直前の書き込み信号として記憶するためのラインバッファをさらに含み得る。
【００２０】
また、ある観点に従う本発明は、一の画素を構成する複数の色絵素のそれぞれに対して、共通の信号線を介して、書き込み信号を時分割で供給する表示装置に適応される色むら補正装置であって、補正対象の画素を構成する一の色絵素に対して供給される補正対象の第１の書き込み信号と、前記補正対象の書き込み信号とは異なる前記画素を構成する他の色絵素に対して前記第１の書き込み信号の後に共通の信号線を介して供給される第２の書き込み信号とに基づいて補正量を決定し、出力する補正量決定部と、前記補正対象の第１の書き込み信号に対して前記決定された補正量を重畳することによって該補正対象の書き込み信号を補正し、該補正された書き込み信号を出力する補正部と、を含む色むら補正装置である。
【００２１】
また、ある観点に従う本発明は、一の画素を構成する複数の色絵素のそれぞれに対して、共通の信号線を介して、書き込み信号を時分割で供給する表示装置に適応される色むら補正方法である。かかる色むら補正方法は、前記一の画素を構成する第１の色絵素に対する第１の書き込み信号と前記画素を構成する前記第１の色絵素以外の第２の色絵素に対する第２の書き込み信号とを取り込むことと、前記取り込んだ第１の書き込み信号と第２の書き込み信号とに基づいて補正量を特定することと、前記特定した補正量に従って、前記第２の書き込み信号を補正することと、を含む。
【００２２】
また、ある観点に従う本発明は、一の画素を構成する複数の色絵素が共通の信号線に接続された表示装置に、前記共通の信号線を介して時分割で書き込み信号を供給するように構成された制御回路である。かかる制御回路は、前記一の画素を構成する第１の色絵素に対する第１の書き込み信号と前記画素を構成する前記第１の色絵素以外の第２の色絵素に対する第２の書き込み信号とに基づいて補正量を特定し、前記第２の書き込み信号を前記補正量に従って補正する色むら補正装置を含む。
【発明の効果】
【００２３】
本発明によれば、色むら補正装置及び色むら補正方法は、時分割方式の表示装置において、画面位置により生じる色むらを補正できる。
【００２４】
本発明の他の技術的特徴、目的、及び作用効果乃至は利点は、添付した図面を参照して説明される以下の実施形態により明らかにされる。
【図面の簡単な説明】
【００２５】
【図１Ａ】本発明の一実施形態に係る色むら補正装置が適用される表示装置を説明するためのブロックダイアグラムである。
【図１Ｂ】本発明の一実施形態に係る色むら補正装置が適用される表示装置を説明するためのブロックダイアグラムである。
【図２】本発明の一実施形態に係る色むら補正装置を説明するためのブロックダイアグラムである。
【図３Ａ】本発明の一実施形態に係る表示部における領域の一例を説明するための図である。
【図３Ｂ】本発明の一実施形態に係る表示装置の画面の領域の一例を説明するための図である。
【図４】本発明の一実施形態に係る表示装置におけるＬＵＴの一例を示す図である。
【図５】本発明の一実施形態に係る色むら補正装置における色むら補正処理を説明するための概念図である。
【図６】本発明の一実施形態に係る色むら補正方法を説明するフローチャートである。
【図７Ａ】本発明の一実施形態に係る色むら補正方法を用いた場合における画面上の色むらをシミュレーションした結果を示す図である。
【図７Ｂ】本発明の色むら補正方法を用いない場合における画面上の色むらをシミュレーションした結果を示す図である。
【図８】本発明の一実施形態に係る色むら補正装置を説明するためのブロックダイアグラムである。
【発明を実施するための形態】
【００２６】
以下、図面を参照して本発明の実施の形態を説明する。ただし、以下に説明する実施形態は、あくまでも例示であり、以下に明示しない種々の変形や技術の適用を排除する意図はない。本発明は、その趣旨を逸脱しない範囲で種々変形（例えば各実施形態を組み合わせる等）して実施することができる。また、以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
【００２７】
本実施形態は、画素を構成する複数の色絵素のそれぞれに対して時分割で書き込み信号を供給する時分割方式の表示装置における色むらを補正する色むら補正装置において、第１色絵素に対する書き込み信号を、第１色絵素とは異なる第２色絵素に対する書き込み信号を考慮して補正する技術を開示する。
【００２８】
［第１の実施形態］
図１Ａ及び１Ｂは、本発明の一実施形態に係る色むら補正装置が適用される表示装置を説明するためのブロックダイアグラムである。同図に示すように、表示装置１は、表示部１０と、制御回路２０と、制御回路２０の制御の下、表示部１０を駆動するための複数のソースドライバ３０及び複数のゲートドライバ４０とを含み構成される。
【００２９】
表示部１０は、図１Ａに示すように、Ｘ−Ｙ方向（すなわち、水平及び垂直方向）にマトリックス状に配列された複数の画素Ｐからなる画面（パネル）を含む。複数の画素Ｐのそれぞれは、例えば３種類の色絵素（サブピクセル）、すなわち、赤色絵素Ｒ、緑色絵素Ｇ、及び青色絵素Ｂを含んで構成される。本例では、表示部１０は、垂直方向に配列された画素Ｐを構成する色絵素が、共通の信号線（ソースラインＳＬ）を介して、１つのソースドライバ３０によって駆動されるように構成される。したがって、ソースドライバ３０の個数は、水平方向の画素Ｐの個数に対応し、各色絵素を駆動する場合に比べて、１／３になる。一方で、Ｙ方向に配列された画素Ｐに対するゲートドライバ４０の個数は、３倍になる。このような構成を有する表示部１０は、トライゲート（Tri-gate）パネルと呼ばれる。なお、以下では、表示部１０の左上の画素Ｐを基準に、Ｘ方向にｘ列目、Ｙ方向にｙ列目に位置する画素Ｐを、便宜上、画素Ｐ（ｘ，ｙ）と表すことがある。
【００３０】
制御回路２０は、外部から供給される画像信号Ｓｉに基づいて、複数のソースドライバ３０及び複数のゲートドライバ４０の駆動を制御する回路である。すなわち、制御回路２０は、例えば、ＬＶＤＳ規格に従う画像信号Ｓｉを受信し、該受信した画像信号ＳｉからＲＧＢ信号及び制御信号（例えば、水平同期信号及び垂直同期信号の位置信号等）を生成し、該生成した制御信号に基づく所定のタイミングで、特定のソースドライバ３０及び特定のゲートドライバ４０を選択的に駆動する。制御回路２０は、書き込み信号Ｗを補正するための、後述する色むら補正装置５０を含み構成される。
【００３１】
複数のソースドライバ３０は、制御回路２０の制御の下、ソースラインＳＬを介して、画素Ｐに対して書き込み信号Ｗを供給する。上述したように、ソースドライバ３０は、水平方向の画素Ｐの個数に対応して設けられる。したがって、複数のソースドライバ３０のそれぞれは、画像信号Ｓｉに基づく制御回路２０からの垂直同期信号によって、１ホールド期間、選択的に駆動され、ソースラインＳＬを介して、対応する画素Ｐに書き込み信号Ｗを供給する。本例では、各画素Ｐに対する書き込み信号Ｗは、色絵素ＲＧＢに対して時分割でそれぞれ連続的に供給される書き込み信号Ｗ（Ｒ），Ｗ（Ｇ）及びＷ（Ｂ）からなる。
【００３２】
複数のゲートドライバ４０は、制御回路２０の制御の下、ゲートラインＧＬを介して、Ｘ方向に配列された画素Ｐのオン／オフ制御を行う。上述したように、ゲートドライバ４０は、垂直方向の画素Ｐを構成する色絵素全ての個数に対応して設けられる。すなわち、複数のゲートドライバ４０のそれぞれは、画像信号Ｓｉに基づく制御回路２０からの水平同期信号によって選択的に駆動され、これによって、ゲートラインＧＬに接続された駆動トランジスタをオン状態にする。駆動トランジスタは、例えば、ＴＦＴ等のトランジスタであり得る。
【００３３】
このような構成により、画像信号Ｓｉに基づく制御回路２０の制御の下、特定の画素Ｐに対するソースドライバ３０は選択的に駆動されて、対応するソースラインに、書き込み信号Ｗ（Ｒ），Ｗ（Ｇ）及びＷ（Ｂ）が時分割で順番に供給される一方、該特定の画素Ｐにおける各色絵素に対するゲートドライバ４０が、かかる時分割の供給に合わせて、選択的に駆動され、これにより、ソースラインＳＬからスイッチＳＷを介して書き込み信号Ｗ（Ｒ），Ｗ（Ｇ）及びＷ（Ｂ）が順番に引き込まれて、該特定の画素Ｐを構成する色絵素ＲＧＢに書き込み信号Ｗ（Ｒ），Ｗ（Ｇ）及びＷ（Ｂ）がそれぞれ書き込まれる。このようにして、表示部１０の画面全体にわたって走査され、所望の画像が表示されることになる。
【００３４】
なお、表示部１０は、例えば、図１Ｂに示すように、Ｙ方向に配列された画素群Ｐにおける同色の色絵素群は、スイッチＳＷを介して、共通のソースラインＳＬを介してソースドライバ３０に接続されるように構成されても良い。この場合、ゲートドライバ４０は、Ｙ方向の画素Ｐの個数に対応して設けられる。制御回路２０は、Ｘ方向に配列された画素Ｐに対するソースラインＳＬに設けられたスイッチＳＷのオン／オフ制御により、特定の画素Ｐを構成する色絵素ＲＧＢに対して書き込み信号Ｗ（Ｒ），Ｗ（Ｇ）及びＷ（Ｂ）を選択的に供給する。この場合、図１Ａに示す構成に対して、ゲートドライバ４０は、１/３の数で済むが、各ソースラインを切り換えるためのスイッチと制御が必要となる。
【００３５】
図２は、本発明の一実施形態に係る色むら補正装置を説明するためのブロックダイアグラムである。色むら補正装置５０は、画像内の意図しない色むらがなくなるように、入力される書き込み信号Ｗｉｎを補正した後、該補正した書き込み信号Ｗｏｕｔを出力する。
【００３６】
同図に示すように、色むら補正装置５０は、位置情報生成部５１と、ラインバッファ５２と、補正量決定部５３と、補正部５４と、リミッタ５４１とを備える。
【００３７】
位置情報生成部５１は、画像信号Ｓｉに基づく水平同期信号Ｈｉｎ及び垂直同期信号Ｖｉｎに従って、パネル内における画素Ｐの位置情報ＰＯＳを生成する。
【００３８】
ラインバッファ５２は、１走査ライン前の画素群Ｐ（すなわち、特定の色絵素）に供給される書き込み信号Ｗを保持しておくためのバッファである。すなわち、本例では、ラインバッファ５２は、垂直方向に互いに隣接する画素Ｐの互いに隣接する色絵素（例えば、赤色絵素Ｒと青色絵素Ｂ）に対する書き込み信号Ｗ同士の信号強度のレベル（信号レベル）を参照することができるように、１走査ライン前の画素群Ｐを構成する、時分割により最後の色絵素に供給される書き込み信号Ｗｉｎ（本例では、青色絵素Ｂに供給される書き込み信号Ｗ（Ｂ））を保持する。
【００３９】
補正量決定部５３は、生成された位置情報ＰＯＳによって示される画素Ｐに供給される書き込み信号Ｗｉｎに対する補正量αを決定する。具体的には、補正量決定部５３は、生成された位置情報ＰＯＳによって示される画素Ｐを構成する色絵素に供給される書き込み信号Ｗ（Ｒ），Ｗ（Ｇ）及びＷ（Ｂ）に対する補正量αをそれぞれ決定する。このため、本例では、補正量決定部５３は、書き込み信号Ｗ（Ｒ）に対する補正量を決定する赤色絵素用補正量決定部５３Ｒ、書き込み信号Ｗ（Ｇ）に対する補正量を決定する緑色絵素用補正量決定部５３Ｇ、及び書き込み信号Ｗ（Ｂ）に対する補正量を決定する青色絵素用補正量決定部５３Ｂを含み構成される。
【００４０】
色絵素用補正量決定部５３Ｒ、５３Ｇ及び５３Ｂは、それぞれ、内部の基本的構成は同じであり、例えば、ＬＵＴ記憶部５３１と、参照部５３２と、補間部５３３とを含み構成される。
【００４１】
ＬＵＴ記憶部５３１は、互いに隣接する色絵素に供給される書き込み信号Ｗのそれぞれの信号レベルに応じた補正量αが定義されたルックアップテーブル（ＬＵＴ）４００を記憶する（図４参照）。ＬＵＴは、表示部１０における全ての画素Ｐについての色絵素に対する補正量αを定義するように構成されても良いが、本例のＬＵＴは、メモリ量削減のため、表示部１０のパネルにおける複数の領域ごとに補正量αを定義した複数のＬＵＴブロックから構成される。例えば、表示部１０のパネル特性は、製造上の理由から、その垂直方向において同一になり、したがって、ソースラインＳＬの配線長に起因する色むらは、表示部１０の垂直方向において同一であることを考慮して、垂直方向において共通のＬＵＴブロックが用いられても良い。すなわち、例えば、図３Ａに示すように、表示部１０の画面全体をＸ方向に８つの帯状の領域３１０（１）〜３１０（８）に分割し、該領域３１０ごとにＬＵＴブロックが関連付けられても良い。他の例として、図３Ｂに示すように、画面の離散的な部分部ごとに領域３１０（１）〜３１０（５）が定義され、該領域３１０ごとにＬＵＴブロックが関連付けられても良い。この場合、画面中央部の領域に対するＬＵＴブロックを省略しても良い。あるいは、図示はしていないが、表示部１０の画面を格子状に分割した領域（又は離散的な領域）ごとにＬＵＴブロックが割り当てられても良い。また、各領域３１０は、同じ形状及びサイズであっても良いし、そうでなくても良い。また、色絵素用補正量決定部５３Ｒ、５３Ｇ及び５３Ｂのそれぞれについて、異なるＬＵＴが用いられても良いし、全部又は一部（例えば色絵素用補正量決定部５３Ｇ及び５３Ｂ）について、共通のＬＵＴが用いられても良い。さらに、表示部１０の画面を左右対称化した領域に分割することで、左右共通のＬＵＴが用いられても良い。例えば、図３Ｂに示す例では、領域３１０（１）と３１０（５）とのＬＵＴブロック、及び領域３１０（２）と３１０（４）のＬＵＴブロックが共通化される。
【００４２】
図４は、本発明の一実施形態に係る表示部１０におけるＬＵＴ（ＬＵＴブロック）の一例を示す図である。同図に示すように、ＬＵＴ４００は、直前の書き込み信号Ｗｉｎの信号レベルと補正対象となる書き込み信号Ｗｉｎの信号レベルとの関係によって特定される補正量αを定義している。信号レベルは、例えば、０〜２５５で示される信号電位の値を３２ずつに分割した９レベルに定義される。例えば、緑色絵素用補正量決定部５３ＧにおけるＬＵＴ４００であれば、補正対象の書き込み信号Ｗｉｎは、緑色絵素Ｇに供給される書き込み信号Ｗｉｎであり、直前の書き込み信号Ｗｉｎは、赤色絵素Ｒに供給される書き込み信号Ｗｉｎである。また、青色絵素用補正量決定部５３ＢにおけるＬＵＴ４００であれば、補正対象の書き込み信号Ｗｉｎは、青色絵素Ｂに供給される書き込み信号Ｗｉｎであり、直前の書き込み信号Ｗｉｎは、緑色絵素Ｇに供給される書き込み信号Ｗｉｎである。また、本実施形態では、赤色絵素用補正量決定部５３ＲにおけるＬＵＴ４００については、補正対象の書き込み信号Ｗｉｎは、赤色絵素Ｒに供給される書き込み信号Ｗｉｎであり、直前の書き込み信号Ｗｉｎは、１走査ライン前の緑色絵素Ｇに供給された書き込み信号Ｗｉｎである。
【００４３】
図２に戻り、参照部５３２は、位置情報生成部５１から出力される位置情報ＰＯＳに従って、対応する１又は２つのＬＵＴブロックを選択し、該選択したＬＵＴブロックを参照して、互いに隣接する色絵素に時間的に相前後して供給される２つの書き込み信号Ｗの信号レベルに対応する補正量αを特定する。参照部５３２は、特定した補正量αを補間部５３３に出力する。
【００４４】
具体的には、参照部５３２は、まず、位置情報生成部５１から出力される位置情報ＰＯＳに基づいて、補正対象となる書き込み信号Ｗｉｎが供給される画素Ｐの位置を特定する。次に、参照部５３２は、該画素Ｐの位置がいずれの領域に属するか否かを判断し、いずれかの領域に属すると判断する場合、ＬＵＴ記憶部５３１に記憶された複数のＬＵＴブロックの中から、該領域に割り当てられた一のＬＵＴブロックを選択する。一方、いずれかの領域に属さないと判断する場合、参照部５３２は、該画素Ｐに隣接する領域の１又は２つのＬＵＴブロックを選択する。例えば、図３Ｂに示すような画面における画素Ｐ（ｘ，ｙ）の場合、参照部５３２は、領域３１０（１）及び領域３１０（２）を選択する。
【００４５】
さらに、参照部５３２は、補正対象の書き込み信号Ｗｉｎ及び直前の書き込み信号Ｗｉｎの信号レベルをそれぞれ決定し、ＬＵＴ記憶部５３１のＬＵＴ４００から補正量αを特定する。例えば、緑色絵素用補正量決定部５３Ｇにおいては、その参照部５３２は、赤色絵素Ｒに供給される書き込み信号Ｗ（Ｒ）の信号レベルを決定し、その後、緑色絵素Ｇに供給される書き込み信号Ｗ（Ｇ）の信号レベルを決定し、これにより、補正量αを特定する。また、青色絵素用補正量決定部５３Ｂにおいては、その参照部５３２は、緑色絵素Ｇに供給される書き込み信号Ｗ（Ｇ）の信号レベルを決定し、その後、青色絵素Ｂに供給される書き込み信号Ｗ（Ｂ）の信号レベルを決定し、これにより、補正量αを特定する。また、赤色絵素用補正量決定部５３Ｒにおいては、その参照部５３２は、ラインバッファ５２から読み出される１走査ライン前の青色絵素Ｂに供給された書き込み信号Ｗ（Ｂ）及び赤色絵素Ｒに供給される書き込み信号Ｗ（Ｒ）の信号レベルをそれぞれ決定し、これにより、補正量αを特定する。
【００４６】
補間部５３３は、補正対象の画素Ｐが、定義されたいずれの領域にも属さない場合に、参照部５３２から出力される２以上の補正量αに基づいて、所定の補間処理を行って、補正量αを算出する。すなわち、位置情報生成部５１から出力される位置情報ＰＯＳが、定義された領域内を属さない場合、補間部５３３は、隣接する２つの領域に対応する２つのＬＵＴブロックから特定される２つの補正量α（これを「擬似補正量α’」とする。）に基づいて、例えば、線形補間法により補正量αを算出する。あるいは、補間部５３３は、２つのＬＵＴブロックから特定される２つの擬似補正量α’の関係をソースラインＳＬの配線長に応じた関数として、一方の擬似補正量α’に該関数のゲインを乗じることによって、補正量αを算出しても良い。
【００４７】
一方、補間部５３３は、補正対象となる書き込み信号Ｗｉｎが供給される画素Ｐの位置が、いずれかの領域に属する場合、参照部５３２から出力される補正量αをそのまま出力する。なお、表示部１０の画面全体について定義された領域に対応するＬＵＴブロックが提供される場合、補間部５３３は、省略され得る。
【００４８】
補正部５４は、入力された書き込み信号Ｗｉｎに対して補間部５３３から出力される補正量αを重畳することによって、該書き込み信号Ｗｉｎを補正し、補正された書き込み信号Ｗｉｎ’として出力する。すなわち、補正部５４は、入力された各色絵素に対する書き込み信号Ｗｉｎに対して、色絵素用補正量決定部５３Ｒ、５３Ｇ及び５３Ｂの補間部５３３から出力される補正量αをそれぞれ重畳することによって書き込み信号Ｗｉｎを補正し、これを補正された書き込み信号Ｗｉｎ’として出力する。補正部５４は、例えば、リミッタ５４１を含み得る。
【００４９】
リミッタ５４１は、出力されるべき書き込み信号Ｗｏｕｔが、所定のダイナミックレンジに収まるように制限する。すなわち、リミッタ５４１は、補正された書き込み信号Ｗｉｎ’の信号電位が所定のダイナミックレンジに収まるように処理して、該処理した書き込み信号Ｗｉｎ’を最終的な書き込み信号Ｗｏｕｔとして出力する。
【００５０】
図５は、本発明の一実施形態に係る色むら補正装置における色むら補正処理を説明するための概念図である。同図は、ある画素Ｐ（ｘ，ｙ）に対して供給される書き込み信号Ｗの一例を示し、横軸は時間、縦軸は書き込み信号Ｗの信号電位を示している。本例では、画素Ｐ（ｘ，ｙ）に対する書き込み信号Ｗは、時分割に、書き込み信号Ｗ（Ｒ），Ｗ（Ｇ）及びＷ（Ｂ）の順番に連続して供給されるものとする。
【００５１】
同図を参照して、例えば、ある画素Ｐ（ｘ，ｙ）を構成する色絵素ＲＧＢに対して、書き込み信号Ｗが時分割で順番に供給されるとして、その信号電位は、図示しないタイミングクロックの立ち下がり時点で決定されるものとする。この場合、直前に供給された他の色絵素への書き込み信号Ｗ（ｘ）によるソースラインＳＬ上の残存容量等の影響により、信号波形になまりが生じ、細実線で示されるような意図しない信号電位の書き込み信号Ｗ（ｘ）が現れてしまうため、色むら補正装置５０は、補正対象の現在の書き込み信号Ｗ（ｘ）について、直前に供給された書き込み信号Ｗ（ｘ−１）の信号電位との関係から、意図した信号電位となるように補正を行う。図中、色むら補正装置５０に入力される書き込み信号Ｗｉｎは、２点鎖線で示され、また、出力される書き込み信号Ｗｏｕｔは、太実線で示されている。すなわち、同図に示すように、例えば、画素Ｐ（ｘ，ｙ）について、書き込み信号Ｗ（Ｒ）は、信号電位が小さくなるように補正され、書き込み信号Ｗ（Ｇ）は、信号電位が大きくなるように補正されている。また、書き込み信号Ｗ（Ｂ）は、信号電位が小さくなるように補正されている。補正量αは、上述したように、補正対象の現在の書き込み信号Ｗ（ｘ）と直前に供給された書き込み信号Ｗ（ｘ−１）との関係によって決定される。これによって、書き込み信号Ｗ（ｘ）は、意図した信号電位に補正されるため、表示部１０のパネルには、意図した色合いの画像が表示される。
【００５２】
図６は、本発明の一実施形態に係る色むら補正方法を説明するフローチャートである。かかる色むら補正方法は、色むら補正装置５０において実行される処理である。
【００５３】
同図に示すように、位置情報生成部５１は、画像信号Ｓｉに基づく水平同期信号Ｈｉｎ及び垂直同期信号Ｖｉｎに基づいて、画素Ｐの位置を示す位置情報ＰＯＳを生成する（Ｓ６０１）。続いて、参照部５３２は、位置情報生成部５１から出力される位置情報ＰＯＳが示す画素Ｐが、いずれの領域３１０に属するか否かを判断する（Ｓ６０２）。
【００５４】
画素Ｐがいずれかの領域３１０に属すると判断される場合（Ｓ６０２のＹｅｓ）、参照部５３２は、ＬＵＴ記憶部５３１に記憶されている複数のＬＵＴブロックの中から、該領域３１０に関連付けられたＬＵＴブロックを選択する（Ｓ６０３）。一方、画素Ｐがいずれ領域３１０にも属さないと判断される場合（Ｓ６０２のＮｏ）、参照部５３２は、ＬＵＴ記憶部５３１に記憶されている複数のＬＵＴブロックの中から、該画素Ｐの近傍の領域３１０に関連付けられた１又は２つのＬＵＴブロックを選択する（Ｓ６０４）例えば、図３Ｂに示した画素Ｐ（ｘ，ｙ）であれば、いずれの領域３１０にも属さないため、その近傍の領域３１０（１）及び３１０（２）に関連付けられたＬＵＴブロックが選択される。
【００５５】
参照部５３２は、次に、補正対象となる色絵素に対する書き込み信号Ｗｉｎについて、直前の書き込み信号Ｗｉｎが存在するか否かを判断する（Ｓ６０５）。ここで、直前の書き込み信号Ｗｉｎが存在しないと判断される場合（Ｓ６０５のＮｏ）とは、表示部１０のパネルの最初のライン、つまり、Ｙ方向１列目である画素群Ｐ（ｘ，１）を構成する最初の赤色絵素Ｒが補正対象となる場合である。この場合、参照部５３２は、補正量αを予め定められた固定値として、これを補間部５３３に出力する（Ｓ６０６）。
【００５６】
一方、直前の書き込み信号Ｗｉｎが存在すると判断される場合（Ｓ６０５のＹｅｓ）、参照部５３２は、２つの書き込み信号Ｗｉｎを取り込む（Ｓ６０７）。該２つの書き込み信号Ｗｉｎとは、補正対象となる色絵素に対する書き込み信号Ｗｉｎ、及びその直前の書き込み信号Ｗｉｎである。例えば、補正対象となる緑色絵素Ｇについて見れば、同じ画素Ｐの赤色絵素Ｒに対する書き込み信号Ｗｉｎが、直前の書き込み信号Ｗｉということになる。参照部５３２は、選択したＬＵＴブロックを参照し、取り込んだ２つの書き込み信号Ｗｉｎに従って、対応する補正量αを特定し、補間部５３３に出力する（Ｓ６０８）。なお、Ｙ方向２列目以降、赤色絵素Ｒについては、１ライン前の青色絵素Ｂに対する書き込み信号Ｗｉｎをラインバッファ５２から取り込む。
【００５７】
補間部５３３もまた、位置情報生成部５１から出力された位置情報ＰＯＳが示す画素Ｐが、いずれかの領域３１０に属する否かを判断する（Ｓ６０９）。補間部５３３は、画素Ｐがいずれかの領域３１０に属するか否かに関する情報を参照部５３２から受け取るように構成されても良い。画素Ｐがいずれかの領域３１０に属すると判断される場合（Ｓ６０９のＹｅｓ）、補間部５３３は、補正量αをそのまま出力する（Ｓ６１０）。一方、画素Ｐがいずれかの領域３１０にも属さないと判断される場合（Ｓ６０９のＮｏ）、補間部５３３は、参照部５３２から出力された擬似補正量α’に対して所定の補間処理を施すことによって、補正量αを求め、これを出力する（Ｓ６１１）。
【００５８】
補正部５４は、補正対象となっている色絵素に対する書き込み信号Ｗｉｎに対し、補正量αを重畳する（Ｓ６１２）。続いて、リミッタ５４１は、補正された書き込み信号Ｗｉｎ’が所定範囲内に収まるよう制限をかけ、これを書き込み信号Ｗｏｕｔとして出力する（Ｓ６１３）。色むら補正装置５０は、次の補正対象となる色絵素に対する書き込み信号Ｗｉｎがあるか否かを判断し（Ｓ６１４）、書き込み信号Ｗｉｎがあると判断する場合には（Ｓ６１４のＹｅｓ）、補正処理を続けるためＳ６０１の処理に戻る。
【００５９】
以上のように、色むら補正装置５０は、補正対象となる色絵素に対する書き込み信号Ｗｉｎと、その直前の書き込み信号Ｗｉｎを考慮して補正量αを求め、これを補正対象の書き込み信号Ｗｉｎに重畳することにより、書き込み信号Ｗｏｕｔとして出力する。これにより、色絵素に書き込み信号Ｗが時分割で供給される場合に、直前に供給した書き込み信号Ｗの影響が考慮されて、現在の書き込み信号Ｗが補正されるので、表示装置１は、色むらのない所望の画像を表示することができるようになる。特に、ソースラインＳＬの長さの相違に起因するインピーダンスの相違が考慮されて書き込み信号Ｗが補正されるので、パネル中央部と端部との間で生じる色むらが解消されることになる。
【００６０】
また、色むら補正装置５０では、２つの書き込み信号Ｗ、すなわち、補正対象となる色絵素に対する書き込み信号Ｗｉｎとその直前の書き込み信号Ｗｉｎとに従って補正量αを特定するため、ＬＵＴの構造を簡略化することができ、ＬＵＴ記憶部５３１を容量の削減することができ、表示装置１の低コスト化を実現することができる。
【００６１】
図７Ａは、本発明の一実施形態に係る色むら補正方法を用いた場合における表示部１０の画面上の色むらを測定した結果を示す図である。また、図７Ｂは、比較例として、該色むら補正方法を用いない場合における表示部１０の画面上の色むらを測定した結果を示す図である。同図Ａ及びＢは、ｘｙ色度図であり、所定の書き込み信号Ｗに基づく表示部１０のパネル中央の画素Ｐの色度値が、実線７１で示され、また、同じ書き込み信号Ｗに基づくパネル左側の画素Ｐ’の色度値が破線７２で示されている。つまり、図中、実線７１と破線７２とが重なりあっていれば、パネル中央と左側との色むらはないことになる。
【００６２】
まず、同図Ｂを参照して、本実施形態の色むら補正方法を用いなかった場合には、画面中央の画素Ｐの色度値とパネル左側の画素Ｐの色度値とは、一部にずれが生じており、パネル固有の色むらが存在していることがわかる。これに対して、同図Ａに示すように、本実施形態の色むら補正方法を用いた場合には、画面中央の画素Ｐの色度値とパネル左側の画素Ｐの色度値とは、各色空間にわたってほぼ一致しており、かかるパネル固有の色むらが効果的に解消されていることがわかる。
【００６３】
［第２の実施形態］
本実施形態は、同一の走査ラインの画素Ｐを構成する色絵素に対する書き込み信号Ｗを用いて補正量αを特定するように構成された色むら補正装置を開示する。言い換えれば、本実施形態の色むら補正装置は、１走査ライン前の画素Ｐ（ｘ，ｙ−１）に隣接する補正対象の画素Ｐ（ｘ，ｙ）を構成する色絵素については、該１走査ライン前の画素Ｐ（ｘ，ｙ−１）を構成する隣接する色絵素に対する書き込み信号Ｗを用いるのではなく、同じ画素Ｐ（ｘ，ｙ）を構成する色絵素に対する書き込み信号Ｗを用いて補正量αを特定するように構成される。
【００６４】
図８は、本発明の一実施形態に係る色むら補正装置を説明するためのブロックダイアグラムである。
【００６５】
すなわち、同図に示すように、本実施形態の色むら補正装置５０’においては、１走査ライン前の色絵素に対する書き込み信号Ｗを保持するためのラインバッファ５２が省略されている。
【００６６】
したがって、色むら補正装置５０’は、例えば、書き込み信号Ｗｉｎが、補正対象となる画素Ｐを構成する色絵素に対して書き込み信号Ｗ（Ｒ），Ｗ（Ｇ）及びＷ（Ｂ）の順番で時分割に供給されるとすると、緑色絵素用補正量決定部５３Ｇは、緑色絵素Ｇに供給される書き込み信号Ｗ（Ｇ）と赤色絵素Ｒに供給された書き込み信号Ｗ（Ｒ）とに基づいてＬＵＴ４００を参照し、補正量αを特定する。また、青色絵素用補正量決定部５３Ｂは、青色絵素Ｂに供給される書き込み信号Ｗ（Ｂ）と緑色絵素Ｇに供給された書き込み信号Ｗ（Ｇ）とに基づいてＬＵＴ４００を参照し、補正量αを特定する。そして、赤色絵素用補正量決定部５３Ｒは、赤色絵素Ｒに供給される書き込み信号Ｗ（Ｒ）と青色絵素Ｂに供給される書き込み信号Ｗ（Ｂ）とに基づいてＬＵＴ４００を参照し、補正量αを特定する。
【００６７】
以上のように、色むら補正装置５０’は、同一の画素Ｐにおける色絵素に対する書き込み信号Ｗｉｎを用いて補正量αを求め、これを補正対象の書き込み信号Ｗｉｎに重畳することにより、書き込み信号Ｗｏｕｔとして出力する。これにより、色絵素に対して書き込み信号Ｗが時分割で供給される場合に、直前に供給した書き込み信号Ｗの影響が考慮されて、現在の書き込み信号Ｗが補正されるので、表示装置１は、色むらのない所望の画像を表示することができるようになる。特に、色むら補正装置５０’は、１走査ライン前の画素Ｐを構成する色絵素に対する書き込み信号Ｗｉｎを用いないので、ラインバッファを設ける必要がなく、コストの削減を図ることができる。また、画面においてある程度の面積を有する色について色むらが目立つという事実から、本実施形態の色補正装置５０’もまた、上記と同様に、色むら補正の効果を奏し得る。
【００６８】
上記各実施形態は、本発明を説明するための例示であり、本発明をこれらの実施形態にのみ限定する趣旨ではない。本発明は、その要旨を逸脱しない限り、さまざまな形態で実施することができる。
【００６９】
例えば、本明細書に開示される方法においては、その結果に矛盾が生じない限り、ステップ、動作又は機能を並行して又は異なる順に実施しても良い。説明されたステップ、動作及び機能は、単なる例として提供されており、ステップ、動作及び機能のうちのいくつかは、発明の要旨を逸脱しない範囲で、省略でき、また、互いに結合させることで一つのものとしてもよく、また、他のステップ、動作又は機能を追加してもよい。
【００７０】
また、本明細書では、さまざまな実施形態が開示されているが、一の実施形態における特定のフィーチャ（技術的事項）を、適宜改良しながら、他の実施形態に追加し、又は該他の実施形態における特定のフィーチャと置換することができ、そのような形態も本発明の要旨に含まれる。
【００７１】
例えば、上記実施形態では、画素Ｐを構成する色絵素に対する書き込み信号Ｗは、書き込み信号Ｗ（Ｒ），Ｗ（Ｇ）及びＷ（Ｂ）の順番で時分割に供給されるものであったが、この順番に限られない。また、色絵素は、３種類に限られず、他の色絵素が追加されても良い。
【産業上の利用可能性】
【００７２】
本発明は、時分割方式の表示装置の分野に広く利用することができる。
【符号の説明】
【００７３】
１…表示装置
１０…表示部
２０…制御回路
３０…ソースドライバ
４０…ゲートドライバ
５０…色むら補正装置
５１…位置情報生成部
５２…ラインバッファ
５３…補正量決定部
５３Ｒ…赤色絵素用補正量決定部
５３Ｇ…緑色絵素用補正量決定部
５３Ｂ…青色絵素用補正量決定部
５３１…ＬＵＴ記憶部
５３２…参照部
５３３…補間部
５４…補正部
５４１…リミッタ
４００…ＬＵＴ
【図１Ａ】
2017129781.tif 000003
【図１Ｂ】
2017129781.tif 000004
【図２】
2017129781.tif 000005
【図３Ａ】
2017129781.tif 000006
【図３Ｂ】
2017129781.tif 000007
【図４】
2017129781.tif 000008
【図５】
2017129781.tif 000009
【図６】
2017129781.tif 000010
【図７Ａ】
2017129781.tif 000011
【図７Ｂ】
2017129781.tif 000012
【図８】
2017129781.tif 000013